(57)【要約】【課題】調整用の画面の表示を阻害しないように制御パラメータを表示させる。【解決手段】画像データに基づく画像を表示する画像投影装置ＰＪは、制御パラメータの変更を受け付ける操作制御部１０７と、他の画像表示装置との間で制御パラメータを送受信するパラメータ通信制御部１１１と、他の画像表示装置から受信した制御パラメータに係る画像をオンスクリーンディスプレイ表示させるＯＳＤ表示制御部１１０と、を備えたことを特徴とする。【選択図】図２
2018004678.tif 000002
【特許請求の範囲】
【請求項１】
画像データに基づく画像を表示する画像表示装置であって、
制御パラメータの変更を受け付ける変更受付手段と、
他の画像表示装置との間で前記制御パラメータを送受信する通信手段と、
前記他の画像表示装置から受信した前記制御パラメータに係る画像を表示させるパラメータ表示制御手段と、を備えたことを特徴とする画像表示装置。
【請求項２】
前記制御パラメータは、画像の表示に関わるパラメータであることを特徴とする請求項１に記載の画像表示装置。
【請求項３】
前記変更受付手段が受け付けた前記制御パラメータを反映させた調整画面を表示させる調整画面表示制御手段を備えたことを特徴とする請求項１又は２に記載の画像表示装置。
【請求項４】
前記パラメータ表示制御手段は、前記制御パラメータに係る画像をオンスクリーンディスプレイ表示させることを特徴とする請求項１乃至３の何れか一項に記載の画像表示装置。
【請求項５】
画像データに基づく画像を表示する複数の画像表示装置が、互いに通信可能に接続された画像表示システムであって、
前記各画像表示装置は、制御パラメータの変更を受け付ける変更受付手段と、他の画像表示装置との間で前記制御パラメータを送受信する通信手段と、前記他の画像表示装置から受信した前記制御パラメータに係る画像を表示させるパラメータ表示制御手段と、を備え、
第一の画像表示装置は、前記変更受付手段が受け付けた自装置用の制御パラメータを前記通信手段から送信し、第二の画像表示装置は、前記通信手段が受信した前記第一の画像表示装置用の制御パラメータに係る画像を前記パラメータ表示制御手段により表示させることを特徴とする画像表示システム。
【発明の詳細な説明】
【技術分野】
【０００１】
本発明は、画像表示装置、及び画像表示システムに関する。
【背景技術】
【０００２】
画像投影装置（画像投射装置）として広く知られたプロジェクタは、近来、液晶パネルの高解像化、光源ランプの高効率化に伴う明るさの改善、低価格化などが進んでいる。例えば、ＤＭＤ（Digital Micro-mirror Device）を利用した小型軽量な画像投影装置が普及し、オフィスや学校のみならず家庭においても広くこれら画像投影装置が利用されるようになってきている。
プロジェクタは、一般に、接続された情報処理装置（パーソナルコンピュータ）等から入力されてスクリーンに投影（投射）する画像とは別途、画像投影装置に対する種々の操作、設定を要求可能なメニュー画面等をスクリーンに投射するオンスクリーンディスプレイ（On Screen Display、以下、ＯＳＤという）機能を備えている。
ＯＳＤ機能で表示されるメニュー画面では、設定言語、表示モード、画像調整、電源設定等の各種の設定が可能となっており、ユーザが所望する操作を要求することができる。また、エラー表示画面等もＯＳＤ機能で表示される。以下、ＯＳＤ機能により投射されるメニュー画面、エラー画面等を単にＯＳＤとも呼ぶ。
【０００３】
また、画像投影装置の本体には画像投影ための各種設定や指示を行うための操作部が設けられている。操作部は、画像投影装置の外面に設けられるキー、ボタン等によって構成され、ユーザからの種々の操作要求を受け付けるものである。また、画像投影装置には、遠隔操作装置（リモコンという）からの操作信号を受信する受信部が設けられており、操作部と同様に、種々の操作要求を受け付けることが可能となっている。ユーザは、例えば、ＯＳＤのメニューやメッセージに従い、操作部若しくはリモコンを使って各種設定を行なうことができる。
【０００４】
また、２台以上の画像投影装置から互いに異なる投影領域に画像を投影し、投影された画像を組み合わせることで単一の画像投影を行うマルチプロジェクションシステムが知られている。マルチプロジェクションシステムでは、単一画像に対応する画像信号を複数に分割して各画像投影装置に供給し、各画像投影装置に単一画像を構成する画像を表示させるものである。マルチプロジェクションシステムによれば、大画面で高精細な画像を表示することが可能となる。
特許文献１には、ＯＳＤ機能を利用した表示が可能な画像投影装置が記載されている。特許文献１に記載の画像投影装置により、マルチプロジェクションシステムを構成した場合には、操作者から最も近い画像投影装置からＯＳＤの表示制御を実行する。
【発明の概要】
【発明が解決しようとする課題】
【０００５】
特許文献１に記載の発明においては、スクリーンに投影された画像の輝度や色味を調整する場合等に、調整用の画面に重畳して制御パラメータをＯＳＤ表示すると、ＯＳＤの表示が各種の調整を行う場合の障害となり得る。
本発明は上述の事情に鑑みてなされたものであり、調整用の画面の表示を阻害しないように制御パラメータを表示させることを目的とする。
【課題を解決するための手段】
【０００６】
上記の課題を解決するために、請求項１に記載の発明は、画像データに基づく画像を表示する画像表示装置であって、制御パラメータの変更を受け付ける変更受付手段と、他の画像表示装置との間で前記制御パラメータを送受信する通信手段と、前記他の画像表示装置から受信した前記制御パラメータに係る画像を表示させるパラメータ表示制御手段と、を備えたことを特徴とする。
【発明の効果】
【０００７】
本発明によれば、調整用の画面の表示を阻害しないように制御パラメータを表示させることができる。
【図面の簡単な説明】
【０００８】
【図１】本発明の実施の形態に係る画像投影装置の機能構成を示すブロック図である。
【図２】２台の画像投影装置により構成される画像投影システムの一例を示す概略構成図である。
【図３】３台の画像投影装置により構成される画像投影システムの一例を示す概略構成図である。
【図４】本発明の一実施形態に係る画像投影システムの動作を示すシーケンス図である。
【図５】本発明の一実施形態に係る画像投影システムの動作を示すフローチャートである。
【発明を実施するための形態】
【０００９】
本発明は、マルチプロジェクションシステムを構成する画像投影装置のＯＳＤ制御に関して、以下の特徴を有する。即ち、画像の歪み、画質、色味等を反映した調整画面を調整対象の画像投影装置から投影し、画像の歪み、画質、色味等に関わる制御パラメータを他の画像投影装置からＯＳＤにより投影させる点に特徴を有する。
このように、調整画面を投影する画像投影装置と、制御パラメータに係る画像をＯＳＤにより投影する画像投影装置とを別個の装置とすることにより、調整画面がＯＳＤにより見づらくなるといった事態を回避し、調整画面の全体を確認しながら画像の歪み、画質、色味等を正確に調整することが可能となる。
上記記載の本発明の特徴について、以下の図面を用いて詳細に解説する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
（画像投影装置の構成）
図１は、本発明の実施の形態に係る画像投影装置の機能構成を示すブロック図である。
本実施形態に係る画像投影装置（プロジェクタ、画像表示装置）ＰＪは、複数の画像投影装置が互いに異なる領域に画像を投影して、これらの画像（部分投影画像）を組み合わせた投影画像（全体投影画像）を投影する画像投影システム（マルチプロジェクションシステム、画像表示システム）における画像投影装置である。
【００１１】
画像投影装置ＰＪは、制御部１０１（調整画面表示制御手段）、画像信号入力部１０２、画像信号処理部１０３、光源制御部１０４、光変調部１０５、投影光学部１０６、操作制御部１０７（変更受付手段）、信号受信部１０８、記憶部１０９、ＯＳＤ表示制御部１１０（パラメータ表示制御手段）、及びパラメータ通信制御部１１１（通信手段）を備えている。
【００１２】
制御部１０１は、画像投影装置ＰＪの装置全体を制御する制御手段であり、ＣＰＵ（Central Processing Unit）によって実現される。また、制御部１０１は、画面調整用の調整画面を投影光学部１０６からスクリーンＳに表示させるための調整画面表示制御手段として機能する。
画像信号入力部１０２は、外部からの画像信号（画像データ）を入力する。映像信号を入力するインタフェースとして、Ｄ−Ｓｕｂコネクタ等のＶＧＡ（Video Graphics Array）入力端子やＨＤＭＩ（登録商標）（High-Definition Multimedia Interface）端子、Ｓ−ＶＩＤＥＯ端子、ＲＣＡ端子等のビデオ入力端子を備えており、これらの端子に接続されたケーブルを介して、図示しないパーソナルコンピュータなどの映像供給装置から映像信号を受信する。また、ネットワーク経由や、ＵＳＢメモリなどの外部記憶媒体から映像信号が入力されるものであっても良い。
画像信号処理部１０３は、入力された画像信号を画素数や周波数に合わせて信号変換したり、画像調整用の制御パラメータに基づいて色補正や歪補正等を行う。
光源制御部１０４は、光源を制御し、照明光を出力する。
光変調部１０５は、照明光を赤色、緑色、青色の３原色成分に分離し、各色を画像信号に応じて光変調する。
投影光学部１０６は、光変調された光束をスクリーン等の投影面に投影する。
操作制御部１０７は、信号受信部１０８が無線により受信したリモコン１２０のキー操作に係る制御信号を処理する。また、操作制御部１０７は、画像投影装置ＰＪの本体に設けられたキーやボタンの操作に係る制御信号を処理する。
記憶部１０９は、ＲＯＭ（Read Only Memory）やＲＡＭ（Random Access Memory）等により構成され、データやプログラムなどを記憶する。
【００１３】
ＯＳＤ表示制御部１１０は、ＯＳＤ（On Screen Display）を表示させる制御、及びＯＳＤの表示を停止させる制御を実行する。
パラメータ通信制御部１１１は、自装置の画像調整用の制御パラメータを他の画像投影装置ＰＪに送信し、他の画像投影装置ＰＪから他の画像投影装置ＰＪの画像調整用の制御パラメータを受信する。パラメータ通信制御部１１１は、他の画像投影装置ＰＪから受信した制御パラメータをＯＳＤ表示制御部１１０に出力する。ＯＳＤ表示制御部１１０は、受信した制御パラメータをＯＳＤ表示させる。ここで、画像調整用の制御パラメータは、画像の歪み、画質、色味等の調整に関わるパラメータである。
【００１４】
（画像投影システムの構成）
図２は、２台の画像投影装置により構成される画像投影システムの一例を示す概略構成図である。図３は、３台の画像投影装置により構成される画像投影システムの一例を示す概略構成図である。
【００１５】
図２に示す画像投影システム１は、２台の画像投影装置ＰＪ１、ＰＪ２と、遠隔操作手段であるリモコン１２０を備えて構成される。各画像投影装置の構成は図１に示したものと同様である。一方の画像投影装置ＰＪ１は、スクリーンＳや壁面等の投影面に投影画像Ｉｍｇ１を投影し、他方の画像投影装置ＰＪ１は、スクリーンＳや壁面等の投影面に投影画像Ｉｍｇ２を投影する。２台の画像投影装置ＰＪ１、ＰＪ２は、ＵＳＢ（Universal Serial Bus）ケーブルやシリアルケーブル等の有線の通信ケーブル１３０を介して互いに制御パラメータを送受信可能に接続されている。なお、２台の画像投影装置ＰＪ１、ＰＪ２は、無線ＬＡＮ（Local Area Network）やＢｌｕｅｔｏｏｔｈ（登録商標）等の無線通信システム等により互いに制御パラメータを送受信可能に接続されてもよい。
【００１６】
一方の画像投影装置ＰＪ１（第一の画像表示装置）の画像調整を実行する場合は、他方の画像投影装置ＰＪ２（第二の画像表示装置）に画像投影装置ＰＪ１の制御パラメータをＯＳＤ表示させる。即ち、画像投影装置ＰＪ１から画像調整に関わる制御パラメータを通信ケーブル１３０を介して画像投影装置ＰＪ２に送信し、画像投影装置ＰＪ２は画像投影装置ＰＪ１から受信した画像投影装置ＰＪ１の制御パラメータをＯＳＤ表示する。ユーザがリモコン１２０を用いて画像投影装置ＰＪ１を遠隔操作することにより制御パラメータを変更した場合は、変更後の制御パラメータが通信ケーブル１３０を介して画像投影装置ＰＪ２に送信される。画像投影装置ＰＪ２は画像投影装置ＰＪ１から受信した制御パラメータをＯＳＤに表示する。
【００１７】
このように、画像調整を実行する画像投影装置として一方の画像投影装置ＰＪ１を選択すると、他方の画像投影装置ＰＪ２が画像投影装置ＰＪ１のＯＳＤを表示する画像投影装置として設定される。
【００１８】
図３に示す画像投影システム１は、通信ケーブル１３０を介して通信可能に接続された３台の画像投影装置ＰＪ１、ＰＪ２、ＰＪ３を備えている。画像投影装置ＰＪ３は、スクリーンＳに投影画像Ｉｍｇ３を投影する。画像投影システムが３台以上の画像投影装置を備える場合、画像調整をする１台の画像投影装置が選択された後に、ＯＳＤを表示させる画像投影装置が設定される。
図３は、ユーザがリモコン１２０により、画像調整を実行する画像投影装置として画像投影装置ＰＪ１を選択した後に、ＯＳＤを表示する画像投影装置として画像投影装置ＰＪ２を選択した例である。ユーザはＯＳＤを表示する画像投影装置として画像投影装置ＰＪ３を選択（又は事後に変更）することも可能である。
３台以上の画像投影装置がある場合は、画像調整を実行する画像投影装置として選択された画像投影装置以外の他の画像投影装置の何れかにＯＳＤを表示させる。ＯＳＤを表示させる画像投影装置は、ユーザが選択してもよいが自動的に決定されてもよい。後者の場合、例えば画像投影装置にリモコン１２０までの距離を測定する測距手段を備え、測距手段が測定した距離に基づいてリモコン１２０との距離がより短い画像投影装置を、ＯＳＤを表示させる画像投影装置として自動的に選択すること等が考えられる。
以上のように、画像調整を実行する画像投影装置とＯＳＤを表示する画像投影装置が選択されれば、以降は図２と同様に制御パラメータの送信と制御パラメータのＯＳＤ表示が実行される。
【００１９】
（シーケンス図）
図４は、本発明の一実施形態に係る画像投影システムの動作を示すシーケンス図である。本図は、画像投影装置ＰＪが３台以上ある場合の処理例を示している。以下の説明において、画像投影装置ＰＪ１の構成には補助符号「−１」を付し、画像投影装置ＰＪ２の構成には補助符号「−２」を付して説明する。
【００２０】
ステップＳ１０１においてユーザは、リモコン１２０を操作することにより、又は画像投影装置ＰＪ１の本体に設けられたキーやボタンを操作することにより、画面調整を行う画像投影装置ＰＪ（例えば画像投影装置ＰＪ１）を選択する。他の画像投影装置ＰＪが２台以上ある場合、ステップＳ１０３において制御部１０１−１は、ＯＳＤを表示する画像投影装置をユーザに選択させるための画面を生成するようにＯＳＤ表示制御部１１０−１に命令する。ステップＳ１０５において、ＯＳＤ表示制御部１１０−１はＯＳＤを表示する画像投影装置をユーザに選択させる画面を生成し、ステップＳ１０７において当該画面を投影光学部１０６からスクリーンＳに表示させる。
【００２１】
ステップＳ１０９において、ユーザは、表示された設定画面に基づいてＯＳＤを表示させる画像投影装置ＰＪ（例えば画像投影装置ＰＪ２）を、リモコン１２０等を操作することにより選択する。制御部１０１−１は選択された画像投影装置を、ＯＳＤを表示させる画像投影装置として設定する。
ステップＳ１１１において、制御部１０１−１は、画面調整用の調整画面を投影光学部１０６からスクリーンＳに表示させる。
ステップＳ１１３において、制御部１０１−１は、画面調整に関わる制御パラメータをパラメータ通信制御部１１１−１から画像投影装置ＰＪ２に送信する。
ステップＳ１１５においてＯＳＤ表示制御部１１０−２はパラメータ通信制御部１１１−２が受信した制御パラメータを表示させるためのＯＳＤ画面を生成し、ステップＳ１１７において投影光学部１０６−２からスクリーンＳに表示させる。
【００２２】
ステップＳ１１９において、ユーザは、リモコン１２０等を操作することにより画像投影装置ＰＪ１の画面を調整する。この操作により、リモコン１２０等から制御部１０１−１に制御パラメータの変更指示が送信される。
ステップＳ１２１において、制御部１０１−１は、ユーザから入力された制御パラメータを反映させた調整画面を投影光学部１０６からスクリーンＳに表示させる。
ステップＳ１２３において、制御部１０１−１は、新たな制御パラメータをパラメータ通信制御部１１１から画像投影装置ＰＪ２に送信する。
ステップＳ１２５においてＯＳＤ表示制御部１１０−２はパラメータ通信制御部１１１−２が受信した制御パラメータを表示させるためのＯＳＤ画面を生成し、ステップＳ１２７において投影光学部１０６−２からスクリーンＳに表示させる。
以降、ステップＳ１１９〜Ｓ１２７の処理が順次繰り返される。
【００２３】
ステップＳ１２９において、ユーザは、画像投影装置ＰＪ１に対してリモコン１２０等から画面調整の終了を指示する。
ステップＳ１３１において、制御部１０１−１は、調整画面の表示を停止する。
ステップＳ１３３において、制御部１０１−１は、記憶部１０９に制御パラメータを記憶させる。
ステップＳ１３５において、制御部１０１−１は、画像投影装置ＰＪ２に対してＯＳＤの終了要求を送信する。
ステップＳ１３７において、ＯＳＤ表示制御部１１０−２は、ＯＳＤの表示を終了する。
【００２４】
なお、画像投影システム１が２台の画像投影装置ＰＪを備える場合、ステップＳ１０３〜Ｓ１０９までの処理は省略される。即ち、ステップＳ１０１において選択された画像投影装置ＰＪ１は、ＯＳＤを表示させる画像投影装置として画像投影装置ＰＪ２を設定し、ステップＳ１１１以降の処理が実行される。
【００２５】
（制御フロー）
図５は、画面調整対象として選択された画像投影装置の処理の一例を示したフローチャートである。
【００２６】
ステップＳ２０１において、画像投影装置ＰＪ１は、ユーザから画像調整対象の選択を受け付ける。即ち、ユーザは、リモコン１２０を操作することにより、又は画像投影装置ＰＪ１の本体に設けられたキーやボタンを操作することにより、画像調整を実行する画像投影装置ＰＪ１を選択する。
ステップＳ２０３において、選択された画像投影装置ＰＪ１の制御部１０１は、ＯＳＤを表示可能な画像投影装置の台数を確認する。画像投影システム１が、選択された画像投影装置ＰＪ１の他に２台以上の画像投影装置ＰＪを有する場合は、ステップＳ２０５の処理が実行される。画像投影システム１が、選択された画像投影装置ＰＪ１の他に１台の画像投影装置ＰＪ２を有する場合は、選択された画像投影装置ＰＪ１の制御部１０１は他の画像投影装置ＰＪ２について、ステップＳ２０７の処理を実行する。
【００２７】
ステップＳ２０５において、選択された画像投影装置ＰＪ１のＯＳＤ表示制御部１１０は、ＯＳＤを表示させる画像投影装置ＰＪを選択する画面を生成する。ＯＳＤ表示制御部１１０は生成した画面を投影光学部１０６からスクリーンＳに投影し、ユーザからＯＳＤを表示する画像投影装置ＰＪの選択を受けつける。ここでは、ユーザから画像投影装置ＰＪ２が選択されたとする。
ステップＳ２０７において、画像投影装置ＰＪ１の制御部１０１は、画像投影装置ＰＪ２を、ＯＳＤを表示する画像投影装置として設定する。即ち、画像投影システム１が、２台の画像投影装置を備える場合は画像投影装置ＰＪ１以外の画像投影装置ＰＪ２を、画像投影システム１が、３台以上の画像投影装置を備える場合は、ステップＳ２０５においてユーザによって選択された画像投影装置ＰＪ２を、ＯＳＤを表示する画像投影装置として設定する。
【００２８】
ステップＳ２０９において、画像投影装置ＰＪ１の制御部１０１は、投影光学部１０６から画面調整用の調整画面を投影する。
ステップＳ２１１において、画像投影装置ＰＪ１の制御部１０１は、記憶部１０９から読み出した画像調整に関わる制御パラメータと、ＯＳＤの開始要求とをパラメータ通信制御部１１１から画像投影装置ＰＪ２に送信する。この要求を受信した画像投影装置ＰＪ２は、制御パラメータのＯＳＤを開始する。
ステップＳ２１３において、画像投影装置ＰＪ１の制御部１０１は、ユーザから、リモコン１２０の操作により、又は画像投影装置ＰＪ１の本体に設けられたキーやボタンの操作により、画面調整を終了する旨の入力があったか否かを判定する。即ち、ユーザから画面表示に関わる制御パラメータを変更する入力が行われた場合（ステップＳ２１３にてＮＯ）は、ステップＳ２１５の処理が実行される。一方、ユーザから、画像調整を終了する旨の指示が入力された場合（ステップＳ２１３にてＹＥＳ）は、ステップＳ２１７の処理が実行される。
ステップＳ２１５において、画像投影装置ＰＪ１の制御部１０１は、入力された制御パラメータに基づいて、投影光学部１０６から投影している調整画像の表示状態を変更する。即ち、制御部１０１は、入力された制御パラメータを反映させた調整画像を投影光学部１０６から投影する。以降は、ステップＳ２１１以下の処理が実行される。
ステップＳ２１７において、画像投影装置ＰＪ１の制御部１０１は、記憶部１０９に制御パラメータを保存させる。
ステップＳ２１９において、制御部１０１は、ＯＳＤの終了要求をパラメータ通信制御部１１１から画像投影装置ＰＪ２に送信する。この要求を受信した画像投影装置ＰＪ２はＯＳＤを終了する。
【００２９】
（本発明の実施態様例と作用、効果のまとめ）
＜第一の実施態様＞
本態様は、画像データに基づく画像を表示する画像表示装置（画像投影装置ＰＪ）であって、制御パラメータの変更を受け付ける変更受付手段（操作制御部１０７）と、他の画像表示装置との間で制御パラメータを送受信する通信手段（パラメータ通信制御部１１１）と、他の画像表示装置から受信した制御パラメータに係る画像を表示させるパラメータ表示制御手段（ＯＳＤ表示制御部１１０）と、を備えたことを特徴とする。
ここで画像表示装置は、例えば個々の画像表示装置が互いに異なる領域に表示する画像を組み合わせることにより、一つの大きな全体画像を形成する画像表示システムを構成することができる装置である。画像表示装置としては、例えばスクリーンに画像を投影するプロジェクタの他、ＬＣＤディスプレイ等も対象とすることができる。
本態様によれば、自装置の調整用の制御パラメータに係る画像を他の画像表示装置に表示させるので、自装置の調整用の画面の表示を阻害せずに自装置の制御パラメータを表示させることができる。
【００３０】
＜第二の実施態様＞
本態様において制御パラメータは、画像の表示に関わるパラメータであることを特徴とする。
画像の歪み、画質、色味等、画像の表示を調整するための画像に重ねて、これらの制御パラメータをＯＳＤ表示させると、ＯＳＤの影響により画像の歪み、画質、色味等を確認しづらくなる虞がある。本態様によれば、画像の表示に関わるパラメータを他の画像表示装置に表示させるので、正確な画像調整が可能となる。
【００３１】
＜第三の実施態様＞
本態様に係る画像表示装置（画像投影装置ＰＪ）は、変更受付手段（操作制御部１０７）が受け付けた制御パラメータを反映させた調整画面を表示させる調整画面表示制御手段（制御部１０１）を備えたことを特徴とする。
画像の歪み、画質、色味等、画像の表示を調整するための調整画面に重ねて、これらの制御パラメータをＯＳＤ表示させると、ＯＳＤの影響により画像の歪み、画質、色味等を確認しづらくなる虞がある。本態様によれば、制御パラメータを反映させた調整画面を自装置の調整画面表示制御手段により表示し、制御パラメータに係る画像を他の画像表示装置に表示させるので、正確な画像調整が可能となる。
【００３２】
＜第四の実施態様＞
本態様において、パラメータ表示制御手段（ＯＳＤ表示制御部１１０）は、制御パラメータに係る画像をオンスクリーンディスプレイ表示させることを特徴とする。
本態様によれば、自装置の調整用の制御パラメータに係る画像を他の画像表示装置にＯＳＤ表示させるので、自装置の調整用の画面の表示を阻害せずに自装置の制御パラメータを表示させることができる。
【００３３】
＜第五の実施態様＞
本態様は、画像データに基づく画像を表示する複数の画像表示装置（画像投影装置ＰＪ）が、互いに通信可能に接続された画像表示システムであって、各画像表示装置は、制御パラメータの変更を受け付ける変更受付手段（操作制御部１０７）と、他の画像表示装置との間で制御パラメータを送受信する通信手段（パラメータ通信制御部１１１）と、他の画像表示装置から受信した制御パラメータに係る画像を表示させるパラメータ表示制御手段（ＯＳＤ表示制御部１１０）と、を備え、一の画像表示装置は、変更受付手段が受け付けた自装置用の制御パラメータを通信手段から送信し、他の画像表示装置は、通信手段が受信した前記一の画像表示装置用の制御パラメータに係る画像をパラメータ表示制御手段により表示させることを特徴とする。
本態様によれば、自装置の調整用の制御パラメータに係る画像を他の画像表示装置に表示させるので、自装置の調整用の画面の表示を阻害せずに自装置の制御パラメータを表示させることができる。
【符号の説明】
【００３４】
１…画像投影システム、ＰＪ…画像投影装置、１０１…制御部、１０２…画像信号入力部、１０３…画像信号処理部、１０４…光源制御部、１０５…光変調部、１０６…投影光学部、１０７…操作制御部、１０８…信号受信部、１０９…記憶部、１１０…ＯＳＤ表示制御部、１１１…パラメータ通信制御部、１２０…リモコン、１３０…通信ケーブル、Ｉｍｇ…投影画像、Ｓ…スクリーン
【先行技術文献】
【特許文献】
【００３５】
【特許文献１】特開２０１５−１５２６１７公報
【図１】
2018004678.tif 000003
【図２】
2018004678.tif 000004
【図３】
2018004678.tif 000005
【図４】
2018004678.tif 000006
【図５】
2018004678.tif 000007